(57)【要約】【課題】水平姿勢のみならず傾斜姿勢の水中ミキサ本体も安定して支持することが可能な水中ミキサを提供する。【解決手段】この水中ミキサ１００は、回転軸２１と、回転軸２１の一端側に設けられた撹拌羽根３とを含む水中ミキサ本体１０１と、回転軸２１が水平方向に延びる水平姿勢、または、回転軸２１が斜め方向に延びる傾斜姿勢に保持して水中ミキサ本体１０１を上下方向に延びるガイド支柱Ｇ１に取り付ける取付部材１０２と、水中ミキサ本体１０１に下方側から取り付けられたベース部材１０３と、ベース部材１０３を介して、水中ミキサ本体１０１を下方から支持する支持部材１０４と、を備え、ベース部材１０３は、水平姿勢において略水平方向に延びるとともに支持部材１０４に上方から当接する水平当接部９３と、傾斜姿勢において略水平方向に延びるとともに支持部材１０４に上方から当接する傾斜当接部９４とを含む。【選択図】図３
2019195774.tif 000002
【特許請求の範囲】
【請求項１】
回転軸と、前記回転軸の一端側に設けられた撹拌羽根とを含む水中ミキサ本体と、
前記回転軸が水平方向に延びる水平姿勢、または、前記回転軸が斜め方向に延びる傾斜姿勢に保持して前記水中ミキサ本体を上下方向に延びるガイド支柱に取り付ける取付部材と、
前記水中ミキサ本体に下方側から取り付けられたベース部材と、
前記ベース部材を介して、前記水中ミキサ本体を下方から支持する支持部材と、を備え、
前記ベース部材は、前記水平姿勢において略水平方向に延びるとともに前記支持部材に上方から当接する水平当接部と、前記傾斜姿勢において略水平方向に延びるとともに前記支持部材に上方から当接する傾斜当接部とを含む、水中ミキサ。
【請求項２】
前記取付部材は、前記撹拌羽根により斜め上方に水流を発生させる前記傾斜姿勢である上向姿勢、または、前記撹拌羽根により斜め下方に水流を発生させる前記傾斜姿勢である下向姿勢に保持して前記水中ミキサ本体を前記ガイド支柱に取り付けるように構成され、
前記傾斜当接部は、前記上向姿勢において略水平方向に延びるとともに前記支持部材に上方から当接する第１傾斜当接部と、前記下向姿勢において略水平方向に延びるとともに前記支持部材に上方から当接する第２傾斜当接部とを含む、請求項１に記載の水中ミキサ。
【請求項３】
前記ベース部材は、前記回転軸の軸方向に沿って延びるように形成され、
前記第２傾斜当接部は、前記回転軸の軸方向において、前記撹拌羽根に近い側に設けられ、
前記第１傾斜当接部は、前記回転軸の軸方向において、前記第２傾斜当接部とは逆側に設けられている、請求項２に記載の水中ミキサ。
【請求項４】
前記ベース部材は、前記回転軸の軸方向に直交する側面視で、前記回転軸の軸方向に延びる略矩形形状に形成され、
前記第１傾斜当接部および前記第２傾斜当接部は、それぞれ、前記回転軸の軸方向に直交する側面視で、前記ベース部材の下方側の両端部を斜めに面取りした形状を有している、請求項３に記載の水中ミキサ。
【請求項５】
前記ベース部材は、前記回転軸の軸方向から見て、下方側が開放された逆Ｕ字形状を有する金属製の第１部分を含んでいる、請求項１〜４のいずれか１項に記載の水中ミキサ。
【請求項６】
前記ベース部材は、前記第１部分に取り付けられ、弾性材料により形成されるとともに、前記水平当接部および前記傾斜当接部が一体的に設けられた第２部分を含んでいる、請求項５に記載の水中ミキサ。
【請求項７】
前記第２部分は、前記第１部分の内側に嵌め込まれた状態で配置され、下端が前記第１部分の下端よりも下方に突出している、請求項６に記載の水中ミキサ。
【請求項８】
前記水平当接部および前記傾斜当接部は、共に、前記回転軸の軸方向に沿って延びる凸形状または凹形状の一方により形成され、
前記支持部材は、前記回転軸の軸方向に沿って水平方向に延びるとともに、前記水平当接部および前記傾斜当接部に下方から係合するように、前記水平当接部および前記傾斜当接部の形状に対応した凸形状または凹形状の他方により形成されている、請求項７に記載の水中ミキサ。
【請求項９】
前記支持部材は、平面視で前記回転軸の軸方向と交差する水平方向に延びるように形成され、前記水平当接部および前記傾斜当接部に対して、線接触または面接触により接触している、請求項１〜７のいずれか１項に記載の水中ミキサ。
【請求項１０】
前記支持部材は、平面視で前記回転軸の軸方向と交差する水平方向に延びる丸棒形状を有し、前記ベース部材を支持する支持棒を含む、請求項９に記載の水中ミキサ。
【請求項１１】
前記ベース部材の傾斜当接部の水平方向に対する傾斜角度は、９０度から傾斜姿勢時における前記水中ミキサ本体の水平方向に対する傾斜角度を差し引いた値に対して±５度以内の値である、請求項１〜１０のいずれか１項に記載の水中ミキサ。
【発明の詳細な説明】
【技術分野】
【０００１】
本発明は、水中ミキサに関し、水中ミキサ本体のガイド支柱への取付姿勢を変更可能な水中ミキサに関するものである。
【背景技術】
【０００２】
従来、水中ミキサ本体のガイド支柱への取付姿勢を変更可能な水中ミキサが知られている（たとえば、特許文献１参照）。
【０００３】
上記特許文献１には、撹拌羽根を含む水中ミキサ本体と、スライド部材（取付部材）と、ストッパ（支持部材）とを備えた水中ミキサが開示されている。スライド部材は、水中ミキサ本体を水平姿勢（撹拌羽根の回転軸が水平方向に延びる姿勢）または傾斜姿勢（撹拌羽根の回転軸が斜め方向に延びる姿勢）に保持するとともに、上下方向に延びるガイドバーに取り付けるように構成されている。すなわち、水中ミキサは、スライド部材により、水中ミキサ本体のガイドバーへの取付姿勢を変更可能に構成されている。ストッパは、ガイドバーから水平方向に延びる筒形状を有しており、水中ミキサ本体を下方から支持するように構成されている。
【先行技術文献】
【特許文献】
【０００４】
【特許文献１】特開２００２−３６１０６２号公報
【発明の概要】
【発明が解決しようとする課題】
【０００５】
しかしながら、上記特許文献１の水中ミキサでは、水中ミキサ本体が下方側を向く下向きの傾斜姿勢において、ストッパ（支持部材）の先端の角部が傾斜した水中ミキサ本体の外周面に当接するとともに、ストッパが水中ミキサ本体から斜め方向の荷重を受けることに起因して、ストッパが水中ミキサ本体を安定して支持することができないという問題点がある。なお、上記特許文献１には明示されていないが、水中ミキサは、運転時に振動を伴うため、従来より安定して支持されることが求められている。
【０００６】
この発明は、上記のような課題を解決するためになされたものであり、この発明の１つの目的は、水平姿勢のみならず傾斜姿勢の水中ミキサ本体も安定して支持することが可能な水中ミキサを提供することである。
【課題を解決するための手段】
【０００７】
上記目的を達成するために、この発明の一の局面による水中ミキサでは、回転軸と、回転軸の一端側に設けられた撹拌羽根とを含む水中ミキサ本体と、回転軸が水平方向に延びる水平姿勢、または、回転軸が斜め方向に延びる傾斜姿勢に保持して水中ミキサ本体を上下方向に延びるガイド支柱に取り付ける取付部材と、水中ミキサ本体に下方側から取り付けられたベース部材と、ベース部材を介して、水中ミキサ本体を下方から支持する支持部材と、を備え、ベース部材は、水平姿勢において略水平方向に延びるとともに支持部材に上方から当接する水平当接部と、傾斜姿勢において略水平方向に延びるとともに支持部材に上方から当接する傾斜当接部とを含む。
【０００８】
この発明の一の局面による水中ミキサでは、上記のように、水中ミキサ本体に下方側から取り付けられたベース部材を設けるとともに、ベース部材に、水平姿勢において略水平方向に延びるとともに支持部材に上方から当接する水平当接部と、傾斜姿勢において略水平方向に延びるとともに支持部材に上方から当接する傾斜当接部とを設ける。これにより、傾斜姿勢において、傾斜当接部を介して支持部材により水中ミキサ本体を支持することができるので、傾斜姿勢において、支持部材の角部が傾斜した水中ミキサ本体の外周面に対して当接しないようにすることができるとともに、支持部材に対してベース部材から略真下に向く荷重が掛かる状態で水中ミキサ本体を支持することができる。その結果、傾斜姿勢の水中ミキサ本体を安定して支持することができる。なお、水中ミキサは、水平姿勢において、水平当接部を介して支持部材により水中ミキサ本体を安定して支持することができる。以上により、水平姿勢のみならず傾斜姿勢の水中ミキサ本体も安定して支持することができる。
【０００９】
上記一の局面による水中ミキサにおいて、好ましくは、取付部材は、撹拌羽根により斜め上方に水流を発生させる傾斜姿勢である上向姿勢、または、撹拌羽根により斜め下方に水流を発生させる傾斜姿勢である下向姿勢に保持して水中ミキサ本体をガイド支柱に取り付けるように構成され、傾斜当接部は、上向姿勢において略水平方向に延びるとともに支持部材に上方から当接する第１傾斜当接部と、下向姿勢において略水平方向に延びるとともに支持部材に上方から当接する第２傾斜当接部とを含む。このように構成すれば、上向姿勢および下向姿勢の水中ミキサ本体を安定して支持することができる。
【００１０】
この場合、好ましくは、ベース部材は、回転軸の軸方向に沿って延びるように形成され、第２傾斜当接部は、回転軸の軸方向において、撹拌羽根に近い側に設けられ、第１傾斜当接部は、回転軸の軸方向において、第２傾斜当接部とは逆側に設けられている。このように構成すれば、下向姿勢では水中ミキサ本体の撹拌羽根に近い側が下方側に位置するとともに、上向姿勢では水中ミキサ本体の撹拌羽根とは逆側が下方側に位置することから、下向姿勢および上向姿勢において、それぞれ、第２傾斜当接部および第１傾斜当接部を支持部材に近い下方側に配置することができる。すなわち、下向姿勢および上向姿勢において、第２傾斜当接部および第１傾斜当接部を、支持部材に当接しやすい位置に配置することができる。
【００１１】
上記第２傾斜当接部が撹拌羽根に近い側に設けられ、第１傾斜当接部が逆側に設けられる構成において、好ましくは、ベース部材は、回転軸の軸方向に直交する側面視で、回転軸の軸方向に延びる略矩形形状に形成され、第１傾斜当接部および第２傾斜当接部は、それぞれ、回転軸の軸方向に直交する側面視で、ベース部材の下方側の両端部を斜めに面取りした形状を有している。このように構成すれば、水平当接部、第１傾斜当接部および第２傾斜当接部を、簡易な形状により形成することができる。ベース部材を矩形断面（中実）の金属部材により形成する場合と比べて、ベース部材を軽量化することができる。
【００１２】
上記一の局面による水中ミキサにおいて、好ましくは、ベース部材は、回転軸の軸方向から見て、下方側が開放された逆Ｕ字形状を有する金属製の第１部分を含んでいる。このように構成すれば、第１部分を支持部材に直接当接させる場合には、少なくとも、互いに離間した２箇所（逆Ｕ字形状の両下端）で支持部材とベース部材とを接触させることができるので、支持部材により、ベース部材を介して水中ミキサ本体をより安定して支持することができる。
【００１３】
この場合、好ましくは、ベース部材は、第１部分に取り付けられ、弾性材料により形成されるとともに、水平当接部および傾斜当接部が一体的に設けられた第２部分を含んでいる。このように構成すれば、支持部材により、弾性材料を介して水中ミキサ本体を支持することができるので、水中ミキサ本体の運転時の振動を効果的に吸収することができる。その結果、水中ミキサ本体を一層安定して支持することができる。また、ベース部材の金属製の第１部分と支持部材とが直接接触する場合に比べ、ベース部材の金属製の第１部分と支持部材との磨耗を抑制することが可能となる。
【００１４】
上記ベース部材が第２部分を含む構成において、好ましくは、第２部分は、第１部分の内側に嵌め込まれた状態で配置され、下端が第１部分の下端よりも下方に突出している。このように構成すれば、第１部分を支持部材に当接しないようにするとともに、弾性材料により形成された第２部分を支持部材に確実に当接させることができる。
【００１５】
上記第２部分が第１部分の内側に嵌め込まれた構成において、好ましくは、水平当接部および傾斜当接部は、共に、回転軸の軸方向に沿って延びる凸形状または凹形状の一方により形成され、支持部材は、回転軸の軸方向に沿って水平方向に延びるとともに、水平当接部および傾斜当接部に下方から係合するように、水平当接部および傾斜当接部の形状に対応した凸形状または凹形状の他方により形成されている。このように構成すれば、凸形状（凹形状）の支持部材と凹形状（凸形状）のベース部材とを係合させることにより、支持部材に対するベース部材の水平方向への移動をより確実に規制することができる。その結果、水中ミキサ本体をより一層安定して支持することができる。
【００１６】
上記一の局面による水中ミキサにおいて、好ましくは、支持部材は、平面視で回転軸の軸方向と交差する水平方向に延びるように形成され、水平当接部および傾斜当接部に対して、線接触または面接触により接触している。このように構成すれば、支持部材が水平当接部および傾斜当接部に対して点接触により接触する場合と比較して、水中ミキサ本体をより安定して支持することができる。
【００１７】
この場合、好ましくは、支持部材は、平面視で回転軸の軸方向と交差する水平方向に延びる丸棒形状を有し、ベース部材を支持する支持棒を含む。このように構成すれば、水中ミキサが運転時の振動により、平面視で回転軸の軸方向と交差する水平方向に位置ずれしたとしても、ベース部材と支持部材との接触状態を確実に確保することができる。
【００１８】
上記一の局面による水中ミキサにおいて、好ましくは、ベース部材の傾斜当接部の水平方向に対する傾斜角度は、９０度から傾斜姿勢時における水中ミキサ本体の水平方向に対する傾斜角度を差し引いた値に対して±５度以内の値である。このように構成すれば、水中ミキサ本体を傾斜姿勢にした場合であっても、支持部材に対してベース部材の傾斜当接部を略水平に当接させる事が可能となり、水中ミキサの安定した設置が可能となる。
【発明の効果】
【００１９】
本発明によれば、上記のように、水平姿勢のみならず傾斜姿勢の水中ミキサ本体も安定して支持することができる。
【図面の簡単な説明】
【００２０】
【図１】本発明の第１実施形態による水中ミキサの使用状態を示した斜視図である。
【図２】本発明の第１実施形態による水中ミキサを示した平面図である。
【図３】本発明の第１実施形態による水中ミキサの水平姿勢を示した側面図である。
【図４】本発明の第１実施形態による水中ミキサの上向姿勢を示した側面図である。
【図５】本発明の第１実施形態による水中ミキサの下向姿勢を示した側面図である。
【図６】本発明の第１実施形態による水中ミキサのベース部材および支持部材を示した斜視図である。
【図７】本発明の第１実施形態による水中ミキサのガイド支柱に対する第１ガイド部および第２ガイド部の配置について説明するための図である。
【図８】本発明の第１実施形態による水中ミキサの取付部材の当接部、第１ガイド部および第２ガイド部の配置設計のためのロジックについて説明する。
【図９】本発明の第２実施形態による水中ミキサの水平姿勢を示した側面図である。
【図１０】本発明の第２実施形態による水中ミキサの上向姿勢を示した側面図である。
【図１１】本発明の第２実施形態による水中ミキサの下向姿勢を示した側面図である。
【図１２】本発明の第３実施形態による水中ミキサの上向姿勢を示した側面図である。
【図１３】本発明の第３実施形態による水中ミキサの上向姿勢を示した側面図である。
【図１４】本発明の第４実施形態による水中ミキサのベース部材および支持部材を示した正面図および側面図である。
【図１５】本発明の第５実施形態による水中ミキサのベース部材および支持部材を示した正面図および側面図である。
【発明を実施するための形態】
【００２１】
以下、本発明の実施形態を図面に基づいて説明する。
【００２２】
［第１実施形態］
（水中ミキサの構成）
図１〜図８を参照して、本発明の第１実施形態について説明する。第１実施形態による水中ミキサ１００は、図１に示すように、混合や、撹拌、溶解、混和、濃度均一化、曝気などを行う貯水槽Ｔにおいて使用される。この他、水中ミキサ１００は、水処理場や、池、河川、プールなどの遊戯施設などにおいても使用することが可能である。
【００２３】
水中ミキサ１００は、主として、流れのない死水域に設置され、死水域に水流を発生させるように構成されている。水中ミキサ１００は、死水域において、水を循環させることにより、水の滞留に起因する水の腐敗や、悪臭を招くアオコの発生などを抑制することが可能である。
【００２４】
水中ミキサ１００（撹拌羽根３を含む水中ミキサ本体１０１）は、上下方向に延びるガイド支柱Ｇ１（後述するガイド機構Ｇ）に昇降可能に取り付けられている。ガイド支柱Ｇ１（ガイド機構Ｇ）は、貯水槽Ｔの内壁Ｔ１に設置されている。ガイド支柱Ｇ１は、略矩形の水平断面形状を有し、上下方向（Ｚ方向）に直線状に延びる棒形状の部材である。
【００２５】
水中ミキサ１００は、水流を発生させる向きを変更可能に構成されている。具体的には、水中ミキサ１００（後述する水中ミキサ本体１０１）は、図２に示すように、ガイド機構Ｇにより、水平方向の回動位置（向き）を変更可能に構成されている。また、水中ミキサ本体１０１は、図３〜図５に示すように、ガイド支柱Ｇ１に対する後述する取付部材１０２の取り付け位置を変更することにより、水平姿勢または傾斜姿勢（上向姿勢、下向姿勢）に、変更可能に構成されている。詳細については後述する。
【００２６】
なお、水平姿勢とは、図３に示すように、回転軸２１が水平方向に延びる水中ミキサ本体１０１の姿勢である。また、傾斜姿勢とは、図４および図５に示すように、回転軸２１が斜め方向に延びる水中ミキサ本体１０１の姿勢であり、上向姿勢と下向姿勢とを含んでいる。上向姿勢とは、撹拌羽根３により斜め上方に水流を発生させる傾斜姿勢である。下向姿勢とは、撹拌羽根３により斜め下方に水流を発生させる傾斜姿勢である。なお、水中ミキサ本体１０１の取付姿勢の変更は、水中ミキサ本体１０１を上昇させてガイド支柱Ｇ１の上端から引き抜き、水中ミキサ本体１０１を再度ガイド支柱Ｇ１に取り付けることにより行われる。
【００２７】
図３に示すように、水中ミキサ１００は、水中ミキサ本体１０１と、取付部材１０２と、ベース部材１０３と、支持部材１０４とを備えている。なお、ベース部材１０３は、特許請求の範囲の「第１部分」の一例である。
【００２８】
水中ミキサ本体１０１は、撹拌羽根３により貯水槽Ｔ内の水を撹拌するように構成されている。取付部材１０２は、水平姿勢または傾斜姿勢（上向姿勢、下向姿勢）に水中ミキサ本体１０１を保持してガイド支柱Ｇ１に取り付けるように構成されている。ベース部材１０３は、水中ミキサ本体１０１に下方側から取り付けられている。ベース部材１０３は、水中ミキサ本体１０１を保持して支えるための部材である。支持部材１０４は、ベース部材１０３を介して、水中ミキサ本体１０１を下方から支持するように構成されている。
【００２９】
以下では、水平方向のうち、撹拌羽根３から取付部材１０２に向かう方向をＡ１方向とし、その逆方向をＡ２方向とする。また、Ａ１方向およびＡ２方向を合わせて、Ａ方向とする。また、水平方向のうち、Ａ方向に直交する方向をＢ方向とする。
【００３０】
（ガイド機構の構成）
図３に示すように、ガイド機構Ｇは、ガイド支柱Ｇ１と、上側回動アーム部Ｇ２と、下側回動アーム部Ｇ３と、上側回動アーム部Ｇ２を回動可能に支持する上側支持部Ｇ４と、下側回動アーム部Ｇ３を回動可能に支持する下側支持部Ｇ５とを備えている。
【００３１】
上側回動アーム部Ｇ２および下側回動アーム部Ｇ３は、それぞれ、ガイド支柱Ｇ１の上端（Ｚ１方向端部）近傍および下端（Ｚ２方向端部）近傍に、ガイド支柱Ｇ１に対して固定的に取り付けられている。上側支持部Ｇ４および下側支持部Ｇ５は、それぞれ、貯水槽Ｔの内壁Ｔ１に固定的に設置されている。
【００３２】
上側回動アーム部Ｇ２および下側回動アーム部Ｇ３は、それぞれ、上下方向に延びる円柱状の中心軸Ｇ２１およびＧ３１を含んでいる。中心軸Ｇ２１およびＧ３１の中心軸線（図示せず）は、互いに一致している。上側支持部Ｇ４および下側支持部Ｇ５は、それぞれ、中心軸Ｇ２１およびＧ３１を中心として、上側回動アーム部Ｇ２および下側回動アーム部Ｇ３を回動可能に支持している。すなわち、ガイド支柱Ｇ１は、中心軸Ｇ２１（中心軸Ｇ３１）を中心として、回動可能に構成されている。ガイド支柱Ｇ１は、回動により、高さ位置を変えることなく水平方向に移動する。
【００３３】
上側回動アーム部Ｇ２は、図２に示すように、上側支持部Ｇ４に対するガイド支柱Ｇ１の回動角度を調整する角度調整部Ｇ２２を含んでいる。角度調整部Ｇ２２は、平面視で（Ｚ方向から見て）、扇形状を有している。角度調整部Ｇ２２は、中心軸Ｇ２１の周方向に所定角度間隔で配置される貫通穴Ｇ２２ａを複数有している。上側支持部Ｇ４は、ガイド支柱Ｇ１の回動時に、上側回動アーム部Ｇ２のいずれかの貫通穴Ｇ２２ａと重なる位置に配置される貫通穴Ｇ４１を有している。上側回動アーム部Ｇ２（ガイド支柱Ｇ１）は、貫通穴Ｇ２２ａと貫通穴Ｇ４１とに位置決め固定ピンＧ６が通されることにより、上側支持部Ｇ４に対する回動位置が定まり、上側支持部Ｇ４に固定されるように構成されている。なお、図２では、説明の便宜上、支持部材１０４の図示を省略している。
【００３４】
なお、ガイド支柱Ｇ１が、中心軸Ｇ２１（中心軸Ｇ３１）を中心として回動されることにより、ガイド支柱Ｇ１に取付部材１０２を介して取り付けられている水中ミキサ本体１０１も、中心軸Ｇ２１（中心軸Ｇ３１）を中心として回動される。
【００３５】
上側回動アーム部Ｇ２のガイド支柱Ｇ１への接続部分Ｇ２ａは、平面視で（Ｚ方向から見て）、Ｂ方向の厚みが薄肉状に形成され、取付部材１０２の後述する一対のローラにより構成される第１ガイド部６、一対のローラにより構成される第１ガイド部７、および、一対のローラにより構成される第２ガイド部８の間に配置されている。これにより、水中ミキサ１００は、昇降時に、取付部材１０２が上側回動アーム部Ｇ２（接続部分Ｇ２ａ）などに干渉することなく、上側回動アーム部Ｇ２などが設けられる高さ位置をガイド支柱Ｇ１に沿って上下方向に通過することが可能である。
【００３６】
（水中ミキサ本体の構成）
水中ミキサ本体１０１は、図３に示すように、筐体１と、回転軸２１を有するモータ２と、撹拌羽根３とを含んでいる。
【００３７】
筐体１には、モータ２が内側に設けられている。筐体１のＡ１方向端部には、取付部材１０２が取り付けられている。筐体１のＡ２方向端部には、撹拌羽根３が取り付けられている。筐体１の下方側には、ベース部材１０３が取り付けられている。なお、ベース部材１０３は、ボルトなどの固定部材（図示せず）により筐体１に取り付けられている。
【００３８】
筐体１は、チェーンＣが取り付けられるチェーン取付部１１を含んでいる。チェーン取付部１１には、Ａ方向に並ぶ複数（３個）のチェーン取付穴が設けられている。水平姿勢（図３参照）では真ん中のチェーン取付穴にチェーンＣが取り付けられ、上向姿勢（図４参照）ではＡ２方向側のチェーン取付穴にチェーンＣが取り付けられ、下向姿勢（図５参照）ではＡ１方向側のチェーン取付穴にチェーンＣが取り付けられる。筐体１内には、電源（図示せず）からモータ２に電力を供給するキャブタイヤケーブルＰが導入されている。
【００３９】
水中ミキサ本体１０１は、昇降時に、チェーンＣに吊り下げられて上方または下方に移動される。水中ミキサ本体１０１は、昇降時を除き、ベース部材１０３を上方から支持部材１０４に当接させて、支持部材１０４に下方から支持されるように構成されている。なお、ベース部材１０３が支持部材１０４に当接している状態では、チェーンＣに張力（テンション）は掛からない。
【００４０】
モータ２は、回転軸２１を有している。回転軸２１の一端側（Ａ２方向の端部側）には、撹拌羽根３が設けられている。モータ２は、回転軸２１を介して撹拌羽根３に回転力を付与するように構成されている。回転軸２１は、平面視で（Ｚ方向から見て）、Ａ方向に延びている。
【００４１】
回転軸２１は、水平姿勢において（水中ミキサ本体１０１が水平姿勢にある場合）、水平方向に延びている。また、回転軸２１は、上向姿勢において（水中ミキサ本体１０１が上向姿勢にある場合）、ガイド支柱Ｇ１側から斜め上方向に延びている。また、回転軸２１は、下向姿勢において（水中ミキサ本体１０１が下向姿勢にある場合）、ガイド支柱Ｇ１側から斜め下方向に延びている。
【００４２】
撹拌羽根３は、回転することにより、回転軸２１に沿った水中ミキサ本体１０１の前方側（Ａ２方向側）に向かう水流を発生させることによって、貯水槽Ｔ内を循環する流れを発生させるように構成されている。
【００４３】
（取付部材の構成）
図３に示す取付部材１０２は、水中ミキサ本体１０１にボルトなどの固定部材（図示せず）を介して固定的に取り付けられている。取付部材１０２は、水中ミキサ本体１０１を、水平姿勢だけではなく、上下方向に対する傾斜角度を変えた傾斜姿勢（上向姿勢、下向姿勢）により、ガイド支柱Ｇ１に取付可能に構成されている。
【００４４】
取付部材１０２は、ブラケット４と、当接部５ａおよび５ｂと、第１ガイド部６および７と、第２ガイド部８とを含んでいる。
【００４５】
なお、第１ガイド部６、第１ガイド部７および第２ガイド部８は、それぞれ、Ｂ方向に対向する一対のローラにより構成されている。各ローラは、回動中心軸線（図示せず）がＢ方向に延びており、ガイド支柱Ｇ１に当接して回動することにより、ガイド支柱Ｇ１に対する水中ミキサ本体１０１の移動をガイドするように構成されている。
【００４６】
ブラケット４は、第１ガイド部６および７と、第２ガイド部８とを支持している。ブラケット４は、水中ミキサ本体１０１にＡ１方向側から固定的に取り付けられている。ブラケット４は、平面視でＡ１方向側が開放されたＣ字形状（コの字形状）（図２参照）を有している。ブラケット４は、Ｃ字形状の内側で、第１ガイド部６および７と、第２ガイド部８とを支持している。
【００４７】
当接部５ａおよび５ｂは、ガイド支柱Ｇ１に対して滑らかに摺動可能な部材（低い動摩擦係数を有する部材）である。当接部５ａおよび５ｂは、ステンレス材料、ポリプロピレンまたはポリアセタール（ＰＯＭ）などにより形成されている。当接部５ａおよび５ｂは、Ｂ方向に延びるとともに、Ａ１方向に突出する半円状の断面形状を有している。すなわち、当接部５ａおよび５ｂは、半月形状（かまぼこ形状）を有している。
【００４８】
回転軸２１の軸方向において、当接部５ａおよび５ｂは、第１ガイド部６、第１ガイド部７および第２ガイド部８よりも撹拌羽根３側に配置されている。また、回転軸２１の軸方向において、第１ガイド部６および第１ガイド部７は、第２ガイド部８よりも撹拌羽根３側に配置されている。
【００４９】
当接部５ａは、当接部５ｂの上方に配置されている。当接部５ａおよび５ｂは、Ｂ方向から見て、回転軸２１の回転中心軸線αに対して対称な位置に配置されている。また、第１ガイド部６は、第１ガイド部７の上方に配置されている。第１ガイド部６および第１ガイド部７は、Ｂ方向から見て、回転軸２１の回転中心軸線αに対して対称な位置に配置されている。また、第２ガイド部８は、Ｂ方向から見て、回転軸２１の回転中心軸線α上に配置されている。
【００５０】
〈水平姿勢におけるガイド支柱に対する第１ガイド部、第２ガイド部および当接部の配置〉
図３に示すように、水中ミキサ本体１０１が水平姿勢にある場合、第１ガイド部６および７は、それぞれ、ガイド支柱Ｇ１に当接可能なように、ガイド支柱Ｇ１のＡ１方向側に配置されている。また、水平姿勢にある場合、当接部５ａおよび５ｂは、ガイド支柱Ｇ１に当接可能なように、ガイド支柱Ｇ１のＡ２方向側に配置されている。また、水平姿勢にある場合、第２ガイド部８は、ガイド支柱Ｇ１に当接しない。
【００５１】
〈上向姿勢におけるガイド支柱に対する第１ガイド部、第２ガイド部および当接部の配置〉
図４に示すように、水中ミキサ本体１０１が上向姿勢にある場合、第１ガイド部６および第２ガイド部８は、ガイド支柱Ｇ１に当接可能なように、ガイド支柱Ｇ１のＡ１方向側に配置されている。また、上向姿勢にある場合、当接部５ａおよび第１ガイド部７は、ガイド支柱Ｇ１に当接可能なように、ガイド支柱Ｇ１のＡ２方向側に配置されている。また、上向姿勢にある場合、当接部５ｂは、ガイド支柱Ｇ１に当接しない。
【００５２】
〈下向姿勢におけるガイド支柱に対する第１ガイド部、第２ガイド部および当接部の配置〉
図５に示すように、水中ミキサ本体１０１が下向姿勢にある場合、第１ガイド部７および第２ガイド部８は、ガイド支柱Ｇ１に当接可能なように、ガイド支柱Ｇ１のＡ１方向側に配置されている。また、下向姿勢にある場合、当接部５ｂおよび第１ガイド部６は、ガイド支柱Ｇ１に当接可能なように、ガイド支柱Ｇ１のＡ２方向側に配置されている。また、下向姿勢にある場合、当接部５ａは、ガイド支柱Ｇ１に当接しない。
【００５３】
（ベース部材の構成）
次に、図３〜図６を参照して、ベース部材１０３について説明する。なお、図６では、説明の便宜上、水中ミキサ本体１０１および取付部材１０２の図示を省略している。また、図６では、水中ミキサ本体１０１が水平姿勢にある場合のベース部材１０３を示している。
【００５４】
図６に示すように、ベース部材１０３は、回転軸２１の軸方向に沿って延びるように形成されている。また、ベース部材１０３は、下方側が開放された逆Ｕ字形状（下方側が開放されたコの字形状）を有している。また、ベース部材１０３は、回転軸２１の軸方向（水平姿勢でのＡ方向）において、筐体１（図３参照）と略同じ大きさを有している。なお、ベース部材１０３は、回転軸２１の軸方向において、筐体１よりも大きく形成されていても、小さく形成されていてもよい。
【００５５】
詳細には、ベース部材１０３は、第１板部分９１と、一対の第２板部分９２とを含んでいる。第１板部分９１は、水平姿勢において、Ｂ方向が短手方向、Ａ方向が長手方向、Ｚ方向が厚み方向となる平板形状を有している。一対の第２板部分９２は、第１板部分９１のＢ方向の両端からそれぞれ下方に延びている。第２板部分９２は、概して、水平姿勢において、Ｚ方向が短手方向、Ａ方向が長手方向、Ｂ方向が厚み方向となる平板形状を有している。第１板部分９１は、矩形形状を有している。また、第２板部分９２は、略矩形形状を有している。ベース部材１０３は、金属製であり、たとえば、板金により形成されている。
【００５６】
第２板部分９２（ベース部材１０３）は、水平当接部９３と、傾斜当接部９４とを含んでいる。傾斜当接部９４は、第１傾斜当接部９４ａと、第２傾斜当接部９４ｂとを有している。
【００５７】
水平当接部９３は、水平姿勢において、略水平方向（Ａ方向）に延びる第２板部分９２（ベース部材１０３）の下端面により構成されている。水平当接部９３は、水平姿勢において略水平方向に延びるとともに支持部材１０４に上方から当接するように構成されている（図３参照）。なお、第１実施形態における略水平とは、水平方向に対して±５度の角度範囲を含んでいる。
【００５８】
傾斜当接部９４は、傾斜姿勢（上向姿勢、下向姿勢）において、略水平方向（Ａ方向）に延びる第２板部分９２（ベース部材１０３）の下方側の面により構成されている。
【００５９】
第１傾斜当接部９４ａは、回転軸２１の軸方向において、第２傾斜当接部９４ｂとは逆側（Ａ１方向側）に設けられている。詳細には、第１傾斜当接部９４ａは、第２板部分９２の下方側かつＡ１方向側の端部に設けられている。第１傾斜当接部９４ａは、Ａ１方向側から水平当接部９３に接続されている。第１傾斜当接部９４ａは、上向姿勢において、支持部材１０４に当接するように構成されている（図４参照）。
【００６０】
第２傾斜当接部９４ｂは、回転軸２１の軸方向において、撹拌羽根３に近い側（Ａ２方向側）に設けられている。詳細には、第２傾斜当接部９４ｂは、第２板部分９２の下方側かつＡ２方向側の端部に設けられている。第２傾斜当接部９４ｂは、Ａ２方向側から水平当接部９３に接続されている。第２傾斜当接部９４ｂは、下向姿勢において、支持部材１０４に当接するように構成されている（図５参照）。
【００６１】
ここで、図４に示すように、上向姿勢における回転軸２１の水平方向に対する傾斜角度をβ１とする。第１傾斜当接部９４ａは、Ｂ方向から見て、上向姿勢において、略水平方向に延びるように、水平当接部９３に対して角度β１だけ傾斜している。
【００６２】
また、図５に示すように、上向姿勢における回転軸２１の水平方向に対する傾斜角度をβ２とする。第２傾斜当接部９４ｂは、Ｂ方向から見て、下向姿勢において、略水平方向に延びるように、水平当接部９３に対して、第１傾斜当接部９４ａとは逆回転方向に、角度β２だけ傾斜している。なお、角度β２は、角度β１と同じ角度であることが望ましいが、異なる角度であってもよい。
【００６３】
ベース部材１０３（第２板部分９２）は、回転軸２１の軸方向に直交する側面視で（Ｂ方向から見て）、回転軸２１の軸方向に延びる略矩形形状に形成されている。第１傾斜当接部９４ａおよび第２傾斜当接部９４ｂは、それぞれ、Ｂ方向から見て、ベース部材１０３の下方側の両端部を斜めに面取りした形状を有している。
【００６４】
図４および図５に示すように、第１傾斜当接部９４ａの上向姿勢におけるＡ方向の長さＬ１、および、第２傾斜当接部９４ｂの下向姿勢におけるＡ方向の長さＬ２は、支持部材１０４の後述する支持棒１０４ａの直径Ｄ以上の長さで形成されていることが望ましい。
【００６５】
第１傾斜当接部９４ａおよび第２傾斜当接部９４ｂは、それぞれ、水平姿勢から傾斜姿勢に変更されることにより、水平方向において、水中ミキサ本体１０１の中心位置（重心位置）のより近くに配置される。なお、ベース部材１０３の傾斜当接部９４の水平方向に対する傾斜角度は、水中ミキサ本体１０１を傾斜させる角度によって決まる。すなわち、ベース部材１０３の傾斜当接部９４の水平方向に対する傾斜角度は、９０度から傾斜姿勢時における水中ミキサ本体１０１の水平方向に対する傾斜角度を差し引いた値に対して±５度以内の値である。例えば、本実施形態のように水中ミキサ本体１０１を２０度傾斜させた姿勢で取り付ける場合には、ベース部材１０３の傾斜当接部９４の水平方向に対する傾斜角度は、９０度から水中ミキサ本体１０１の傾斜角度である２０度を差し引いた値とし、９０度−２０度＝７０度となる。
【００６６】
このようにベース部材１０３の傾斜当接部９４の傾斜角度を設計することで、水中ミキサ本体１０１を傾斜させた姿勢で取り付けたとしても、ベース部材１０３の傾斜当接部９４（第１傾斜当接部９４ａ、第２傾斜当接部９４ｂ）を支持部材１０４（支持棒１０４ａ）に対して略水平に当接させる事が可能となり、水中ミキサ本体１０１の安定した設置が可能となる。但し、製造誤差やブラケット４（第１ガイド部６および７と、第２ガイド部８、当接部５ａおよび５ｂ）とガイド支柱Ｇ１との当接具合等も考慮すれば、最終的に完全な水平状態（０度）に対して±５度以内の値に収まる事が望ましい。
【００６７】
（支持部材の構成）
図６に示すように、支持部材１０４は、支持棒１０４ａと、支持棒１０４ａを下方から支える梁部材１０４ｂと、梁部材１０４ｂを補強するリブ部材１０４ｃとを含んでいる。
【００６８】
支持棒１０４ａは、平面視で回転軸２１の軸方向と交差する水平方向（Ｂ方向）に延びる丸棒形状を有している。支持棒１０４ａは、Ａ方向に並ぶように２つ設けられている。２つの支持棒１０４ａは、水平姿勢において、ベース部材１０３の水平当接部９３に下方から当接し、ベース部材１０３を支持するように構成されている。
【００６９】
２つの支持棒１０４ａのうちのＡ１方向側の支持棒１０４ａは、上向姿勢（図４参照）において、ベース部材１０３の第１傾斜当接部９４ａに下方から当接し、ベース部材１０３を支持するように構成されている。なお、Ａ２方向側の支持棒１０４ａは、上向姿勢において、ベース部材１０３から離間している。
【００７０】
２つの支持棒１０４ａのうちのＡ２方向側の支持棒１０４ａは、下向姿勢（図５参照）において、ベース部材１０３の第２傾斜当接部９４ｂに下方から当接し、ベース部材１０３を支持するように構成されている。なお、Ａ１方向側の支持棒１０４ａは、下向姿勢において、ベース部材１０３から離間している。
【００７１】
丸棒形状の支持棒１０４ａは、水平姿勢において、平坦面である水平当接部９３に対して、Ｂ方向に延びる線上で線接触により接触している。また、支持棒１０４ａは、傾斜姿勢において、平坦面である傾斜当接部９４（第１傾斜当接部９４ａおよび第２傾斜当接部９４ｂ）に対して、線接触により接触している。なお、水平当接部９３および傾斜当接部９４がＢ方向に離間して一対設けられていることから、支持部材１０４は、水平姿勢および傾斜姿勢において、それぞれ、少なくとも、Ｂ方向に離間した２箇所において、ベース部材１０３に接触している。
【００７２】
梁部材１０４ｂは、ガイド支柱Ｇ１からＡ方向に延びる四角柱形状を有している。梁部材１０４ｂの上面には、支持棒１０４ａが配置されている。梁部材１０４ｂには、溶接により支持棒１０４ａが固定的に取り付けられている。リブ部材１０４ｃは、梁部材１０４ｂとガイド支柱Ｇ１との間に斜め方向に架け渡されることにより、梁部材１０４ｂを補強している。
【００７３】
（第１ガイド部のローラの回転中心軸線とガイド支柱との間の距離）
次に、図７を参照して、第１ガイド部６のローラの回転中心軸線Ｑ１とガイド支柱Ｇ１との間の距離について説明する。なお、図７では、二点鎖線により、傾斜姿勢における取付部材１０２に対するガイド支柱Ｇ１の相対位置を示している。また、図７では、水中ミキサ本体１０１の図示を省略している。
【００７４】
水平姿勢における第１ガイド部６のローラの回転中心軸線Ｑ１とガイド支柱Ｇ１との間の距離ｄ１（最短距離）と、上向姿勢における第１ガイド部６のローラの回転中心軸線Ｑ１とガイド支柱Ｇ１との間の距離ｄ２（最短距離）と、下向姿勢における第１ガイド部６のローラの回転中心軸線Ｑ１とガイド支柱Ｇ１との間の距離ｄ３（最短距離）とは、互いに略等しい（ｄ１＝ｄ２＝ｄ３）。
【００７５】
なお、第１ガイド部７のローラの回転中心軸線とガイド支柱Ｇ１との間の距離についても、第１ガイド部６のローラの回転中心軸線Ｑ１とガイド支柱Ｇ１との間の距離と同様の関係が成立する。
【００７６】
（第２ガイド部のローラの回転中心軸線とガイド支柱との間の距離）
次に、図７を参照して、第２ガイド部８のローラの回転中心軸線Ｑ２とガイド支柱Ｇ１との間の距離について説明する。
【００７７】
上向姿勢における第２ガイド部８のローラの回転中心軸線Ｑ２とガイド支柱Ｇ１との間の距離ｅ１（最短距離）と、下向姿勢における第２ガイド部８のローラの回転中心軸線Ｑ２とガイド支柱Ｇ１との間の距離ｅ２（最短距離）とは、互いに略等しい（ｅ１＝ｅ２）。
【００７８】
（当接部、第１ガイド部および第２ガイド部の配置設計）
図８（Ａ）〜（Ｄ）を参照して、当接部、第１ガイド部および第２ガイド部の配置設計のためのロジックについて説明する。なお、一例ではあるが、上記した角度β１（図４参照）および角度β２（図５参照）を共に２０度であるとして以下説明する。
【００７９】
まず、図８（Ａ）に示すように、回転中心軸線αに対称となる位置に２つの半円状の当接部の位置を仮決めする。そして、当接部の両方に接するようにガイド支柱を描く。なお、ガイド支柱を、垂直方向に延びるように（回転中心軸線αに直交するように）描く。
【００８０】
次に、図８（Ｂ）に示すように、２つの当接部のそれぞれに接する傾斜したガイド支柱を２つ描く。なお、２つの傾斜したガイド支柱を、それぞれ、当接部の外側（回転中心軸線αから遠い側）に接するように描く。第１実施形態では傾斜したガイド支柱を、回転中心軸線αに対して２０度傾かせて描いており、このように設計することで水中ミキサ本体を上向き、下向きに２０度ずつ傾けた傾斜姿勢でガイド支柱に取り付ける事が可能となる。もちろん、傾斜角度については２０度に限定されることなく適宜変更可能である。また、２０度以外の傾斜角度に設計する場合は、ベース部材１０３の傾斜当接部９４の水平方向に対する傾斜角度もそれに対応するように設計することが望ましい。例えば４０度に設計する場合は、ベース部材１０３の傾斜当接部９４の水平方向に対する傾斜角度は９０度―４０度＝５０度となる。
【００８１】
次に、図８（Ｃ）に示すように、回転中心軸線αの一方側および他方側のそれぞれに、垂直方向に延びるガイド支柱Ｇ１と、傾斜した２つのガイド支柱とのすべてに接する２つの第１の円を描く。２つの第１の円は、それぞれ、第１ガイド部の位置を示している。
【００８２】
次に、図８（Ｄ）に示すように、Ａ１方向側から、傾斜した２つのガイド支柱Ｇ１に接する第２の円を１つ描く。なお、第２の円を、第１の円と同じ半径で描く。第２の円は、第２ガイド部の位置を示している。
【００８３】
（第１実施形態の効果）
第１実施形態では、以下のような効果を得ることができる。
【００８４】
第１実施形態では、上記のように、水中ミキサ本体１０１に下方側から取り付けられたベース部材１０３を設けるとともに、ベース部材１０３に、水平姿勢において略水平方向に延びるとともに支持部材１０４に上方から当接する水平当接部９３と、傾斜姿勢において略水平方向に延びるとともに支持部材１０４に上方から当接する傾斜当接部９４とを設ける。これにより、傾斜姿勢において、支持部材１０４の角部が傾斜した水中ミキサ本体１０１の外周面に対して当接しないようにすることができるとともに、支持部材１０４に対してベース部材１０３から略真下に向く荷重が掛かる状態で水中ミキサ本体１０１を支持することができる。その結果、傾斜姿勢の水中ミキサ本体１０１を安定して支持することができる。なお、水中ミキサ１００は、水平姿勢において、水平当接部９３を介して支持部材１０４により水中ミキサ本体１０１を安定して支持することができる。以上により、水平姿勢のみならず傾斜姿勢の水中ミキサ本体１０１も安定して支持することができる。
【００８５】
また、第１実施形態では、上記のように、取付部材１０２は、撹拌羽根３により斜め上方に水流を発生させる傾斜姿勢である上向姿勢、または、撹拌羽根３により斜め下方に水流を発生させる傾斜姿勢である下向姿勢に保持して水中ミキサ本体１０１をガイド支柱Ｇ１に取り付けるように構成され、傾斜当接部９４は、上向姿勢において略水平方向に延びるとともに支持部材１０４に上方から当接する第１傾斜当接部９４ａと、下向姿勢において略水平方向に延びるとともに支持部材１０４に上方から当接する第２傾斜当接部９４ｂとを含む。これにより、上向姿勢および下向姿勢の水中ミキサ本体１０１を安定して支持することができる。
【００８６】
また、第１実施形態では、上記のように、ベース部材１０３は、回転軸２１の軸方向に沿って延びるように形成され、第２傾斜当接部９４ｂは、回転軸２１の軸方向において、撹拌羽根３に近い側に設けられ、第１傾斜当接部９４ａは、回転軸２１の軸方向において、第２傾斜当接部９４ｂとは逆側に設けられている。これにより、下向姿勢では水中ミキサ本体１０１の撹拌羽根３に近い側が下方側に位置するとともに、上向姿勢では水中ミキサ本体１０１の撹拌羽根３とは逆側が下方側に位置することから、下向姿勢および上向姿勢において、それぞれ、第２傾斜当接部９４ｂおよび第１傾斜当接部９４ａを支持部材１０４に近い下方側に配置することができる。すなわち、下向姿勢および上向姿勢において、第２傾斜当接部９４ｂおよび第１傾斜当接部９４ａを、支持部材１０４に当接しやすい位置に配置することができる。
【００８７】
また、第１実施形態では、上記のように、ベース部材１０３は、回転軸２１の軸方向に直交する側面視で、回転軸２１の軸方向に延びる略矩形形状に形成され、第１傾斜当接部９４ａおよび第２傾斜当接部９４ｂは、それぞれ、回転軸２１の軸方向に直交する側面視で、ベース部材１０３の下方側の両端部を斜めに面取りした形状を有している。これにより、水平当接部９３、第１傾斜当接部９４ａおよび第２傾斜当接部９４ｂを、簡易な形状により形成することができる。ベース部材を矩形断面（中実）の金属部材により形成する場合と比べて、ベース部材１０３を軽量化することができる。
【００８８】
また、第１実施形態では、上記のように、ベース部材１０３は、回転軸２１の軸方向から見て、下方側が開放された逆Ｕ字形状を有する金属製の部分である。これにより、少なくとも、互いに離間した２箇所（逆Ｕ字形状の両下端）で支持部材１０４とベース部材１０３とを接触させることができるので、支持部材１０４により、ベース部材１０３を介して水中ミキサ本体１０１をより安定して支持することができる。
【００８９】
また、第１実施形態では、上記のように、支持部材１０４は、平面視で回転軸２１の軸方向と交差する水平方向に延びるように形成され、水平当接部９３および傾斜当接部９４に対して、線接触または面接触により接触している。これにより、支持部材１０４が水平当接部９３および傾斜当接部９４に対して点接触により接触する場合と比較して、水中ミキサ本体１０１をより安定して支持することができる。
【００９０】
また、第１実施形態では、上記のように、支持部材１０４は、平面視で回転軸２１の軸方向と交差する水平方向に延びる丸棒形状を有し、ベース部材１０３を支持する支持棒１０４ａを含む。これにより、水中ミキサ１００が運転時の振動により、平面視で回転軸２１の軸方向と交差する水平方向に位置ずれしたとしても、ベース部材１０３と支持部材１０４との接触状態を確実に確保することができる。
【００９１】
また、第１実施形態では、上記のように、ベース部材１０３の傾斜当接部９４の水平方向に対する傾斜角度は、９０度から傾斜姿勢時における水中ミキサ本体１０１の水平方向に対する傾斜角度を差し引いた値に対して±５度以内の値である。これにより、水中ミキサ本体１０１を傾斜姿勢にした場合であっても、支持部材１０４（支持棒１０４ａ）に対してベース部材１０３の傾斜当接部９４（第１傾斜当接部９４ａ、第２傾斜当接部９４ｂ）を略水平に当接させる事が可能となり、水中ミキサ１００の安定した設置が可能となる。
【００９２】
［第２実施形態］
次に、図９〜図１１を参照して、本発明の第２実施形態の水中ミキサ２００について説明する。この第２実施形態では、第１ガイド部６および７と第２ガイド部８とを、単一の部品（ブラケット４）により支持するように構成した上記第１実施形態とは異なり、第１ガイド部６および７と第２ガイド部８とを、互いに分離可能な部品（ブラケット本体２０４ａ、補助ブラケット２０４ｂ）により支持するように構成した例について説明する。なお、上記第１実施形態と同様の構成は、第１実施形態と同じ符号を付して図示するとともに説明を省略する。
【００９３】
第２実施形態における水中ミキサ２００は、図９に示すように、取付部材２０２を備えている。取付部材２０２は、ブラケット本体２０４ａと補助ブラケット２０４ｂとを有するブラケット２０４を含んでいる。
【００９４】
ブラケット本体２０４ａは、一対の第１ガイド部６および７を支持するとともに、水中ミキサ本体１０１にＡ１方向側から取り付けられている。ブラケット本体２０４ａは、図示しないが、第１実施形態のブラケット４（図２参照）と同様に、平面視で（Ｚ方向から見て）、Ａ１方向側か開放されたＣ字形状（コの字形状）を有している。
【００９５】
補助ブラケット２０４ｂは、第２ガイド部８を支持するとともに、ブラケット本体２０４ａに着脱可能に取り付けられている。補助ブラケット２０４ｂは、図示しないが、Ｂ方向に対向して一対設けられている。第２ガイド部８は、一対の補助ブラケット２０４ｂの間（内側）に配置されている。
【００９６】
補助ブラケット２０４ｂは、ボルトなどの固定部材Ｋによりブラケット本体２０４ａに対して固定的に取り付けられている。補助ブラケット２０４ｂは、概して、ブラケット本体２０４ａに取り付けられた状態で、Ａ１方向側に突出するＬ字形状（くの字形状）を有している。
【００９７】
ガイド機構Ｇ（上側支持部Ｇ４など）（図３参照）と干渉しないように構成されていた第１実施形態の取付部材１０２とは異なり、この第２実施形態における補助ブラケット２０４ｂを含む取付部材２０２は、水中ミキサ２００を水平姿勢にてガイド支柱Ｇ１（図３参照）に沿って昇降させると、ガイド機構Ｇに干渉する位置に配置されている（第１実施形態の取付部材１０２に比べて、取付部材２０２（補助ブラケット２０４ｂ）と内壁Ｔ１との間隔が狭く構成され、第１実施形態の取付部材１０２とは異なり、取付部材２０２（補助ブラケット２０４ｂ）とガイド機構Ｇとが上下に重なる位置に配置されている）。
【００９８】
そこで、水中ミキサ２００を水平姿勢で降下させる場合は、補助ブラケット２０４ｂをブラケット本体２０４ａから取り外した状態で水中ミキサ２００を昇降させることで、取付部材２０２（補助ブラケット２０４ｂ）と内壁Ｔ１との間隔が狭く構成されている場合でも、補助ブラケット２０４ｂがガイド機構Ｇに干渉することなく、ガイド支柱Ｇ１に沿って水中ミキサ本体１０１を上方に移動させることが可能に構成されている。
【００９９】
なお、図１０に示すように、水中ミキサ２００を上向姿勢で昇降させる際には、第２ガイド部８と第１ガイド部６とがガイド支柱Ｇ１に添って接触可能な状態で配置され、図１１に示すように、水中ミキサ２００を下向姿勢で昇降させる際には、第２ガイド部８と第１ガイド部７とがガイド支柱Ｇ１に添って接触可能な状態で配置されるため、取付部材２０２（補助ブラケット２０４ｂ）と内壁Ｔ１との間隔が狭く構成されている場合でも、補助ブラケット２０４ｂがガイド機構Ｇに干渉することがなく、補助ブラケット２０４ｂの取り付け、取り外し作業は不要である。
【０１００】
なお、第２実施形態のその他の構成は、上記第１実施形態と同様である。
【０１０１】
（第２実施形態の効果）
第２実施形態では、以下のような効果を得ることができる。
【０１０２】
第２実施形態では、上記のように、取付部材２０２は、第１ガイド部６および７を支持するとともに、水中ミキサ本体１０１に取り付けられるブラケット本体２０４ａと、第２ガイド部８を支持するとともにブラケット本体２０４ａに着脱可能に取り付けられる補助ブラケット２０４ｂとを含む。これにより、水中ミキサ２００を設置する高さ位置よりも上方に、ガイド支柱Ｇ１を内壁Ｔ１に固定する構成などがあり、取付部材２０２（補助ブラケット２０４ｂ）と内壁Ｔ１との間隔が狭く構成されている場合においても、水中ミキサ２００をガイド支柱Ｇ１に沿って上方に移動させる際に、補助ブラケット２０４ｂをブラケット本体２０４ａから取り外すことにより、水中ミキサ２００が、ガイド支柱Ｇ１を内壁Ｔ１などに固定する構成などに干渉するのを防止することができる。
【０１０３】
なお、第２実施形態のその他の効果は、上記第１実施形態と同様である。
【０１０４】
［第３実施形態］
次に、図１２および図１３を参照して、本発明の第３実施形態の水中ミキサ３００について説明する。この第３実施形態では、取付部材２０２が、第１ガイド部６および７と第２ガイド部８との両方を含む上記第１および第２実施形態とは異なり、取付部材３０２が、第１ガイド部６および７を含み、第２ガイド部（補助ブラケット２０４ｂ）を含まない例について説明する。なお、本実施形態の構成は、上記第２実施形態の構成から補助ブラケット２０４ｂを除いた構成と同じ構成である。取付部材３０２を除き、上記第２実施形態と同様の構成は、第２実施形態と同じ符号を付して図示するとともに説明を省略する。
【０１０５】
第３実施形態における水中ミキサ３００は、図１２に示すように、取付部材３０２を備えている。
【０１０６】
取付部材３０２は、一対の第１ガイド部６および７を支持するとともに、水中ミキサ本体１０１にＡ１方向側から取り付けられている。取付部材３０２は、上記第２実施形態のブラケット本体２０４ａと同一形状を有した構成である。
【０１０７】
水中ミキサ本体１０１が水平姿勢にある場合、図９に示す上記第２実施形態と同様に、第１ガイド部６および７は、それぞれ、ガイド支柱Ｇ１に当接可能なように、ガイド支柱Ｇ１のＡ１方向側に配置され、当接部５ａおよび５ｂは、ガイド支柱Ｇ１に当接可能なように、ガイド支柱Ｇ１のＡ２方向側に配置されている。
【０１０８】
また、水中ミキサ本体１０１が上向姿勢にある場合、図１２に示すように、第１ガイド部６および第２ガイド部８は、それぞれ、ガイド支柱Ｇ１に当接可能なように、ガイド支柱Ｇ１のＡ１方向側に配置され、当接部５ａおよび第１ガイド部７は、ガイド支柱Ｇ１に当接可能なように、ガイド支柱Ｇ１のＡ２方向側に配置されている。
【０１０９】
また、水中ミキサ本体１０１が下向姿勢にある場合、図１３に示すように、第１ガイド部７および第２ガイド部８は、それぞれ、ガイド支柱Ｇ１に当接可能なように、ガイド支柱Ｇ１のＡ１方向側に配置され、当接部５ｂおよび第１ガイド部６は、ガイド支柱Ｇ１に当接可能なように、ガイド支柱Ｇ１のＡ２方向側に配置されている。なお、水中ミキサ本体１０１の傾き角度は、ベース部材１０３の傾斜当接部９４の角度を設定することにより設定される。たとえば、水中ミキサ本体１０１を水平方向に対して２０度傾けるならば、９０度−２０度＝７０度だけベース部材１０３の傾斜当接部９４を水平方向に対して傾ける。
【０１１０】
なお、第３実施形態のその他の構成は、上記第１実施形態と同様である。
【０１１１】
（第３実施形態の効果）
第３実施形態では、以下のような効果を得ることができる。
【０１１２】
第３実施形態では、上記第１実施形態と同様に、水中ミキサ本体１０１に下方側から取り付けられたベース部材１０３を設けるとともに、ベース部材１０３に、水平姿勢において略水平方向に延びるとともに支持部材１０４に上方から当接する水平当接部９３と、傾斜姿勢において略水平方向に延びるとともに支持部材１０４に上方から当接する傾斜当接部９４とを設ける。これにより、水平姿勢のみならず傾斜姿勢の水中ミキサ本体１０１も安定して支持することができる。
【０１１３】
なお、第３実施形態のその他の効果は、上記第１実施形態と同様である。
【０１１４】
［第４実施形態］
次に、図１４を参照して、本発明の第４実施形態の水中ミキサ４００について説明する。この第４実施形態では、金属製のベース部材１０３を支持部材１０４に当接させた上記第１実施形態とは異なり、ベース部材４０３に設けられた弾性材料で形成された第２部分４９２を支持部材１０４に当接させる例について説明する。なお、上記第１実施形態と同様の構成は、第１実施形態と同じ符号を付して図示するとともに説明を省略する。
【０１１５】
第４実施形態における水中ミキサ４００は、図１４に示すように、ベース部材４０３を備えている。ベース部材４０３は、第１部分４９１と、第２部分４９２とを含んでいる。第２部分４９２は、固定部材Ｋ１により第１部分４９１に取り付けられている。固定部材Ｋ１は、たとえば、ネジやナットにより構成することが可能である。
【０１１６】
第１部分４９１は、第１実施形態のベース部材１０３と同一材料および同一形状により形成されている。第２部分４９２は、第１部分４９１の内側に取り付けられている。第２部分４９２は、弾性材料により形成されている。たとえば、第２部分４９２は、ＮＢＲ（ニトリルゴム）により形成することが可能である。なお、丸棒形状の支持棒１０４ａは、第２部分４９２が弾性変形することにより、ベース部材４０３に対して面接触により接触している。
【０１１７】
第２部分４９２の下端には、水平当接部４９３および傾斜当接部４９４（第１傾斜当接部４９４ａおよび第２傾斜当接部４９４ｂ）が形成されている。なお、水平当接部４９３および傾斜当接部４９４は、支持部材１０４に当接していない状態で平坦面により構成されている。
【０１１８】
第２部分４９２は、下方が開放された逆Ｕ字形状の第１部分４９１の内側に嵌め込まれた状態で配置され、下端が第１部分４９１の下端よりも下方に突出している。
【０１１９】
ベース部材４０３の第２部分４９２の水平当接部４９３は、水平姿勢において、略水平方向に延びるとともに、支持部材１０４に上方から当接するように構成されている。また、図示しないが、ベース部材４０３の第２部分４９２の第１傾斜当接部４９４ａは、上記第１実施形態の第１傾斜当接部９４ａと同様に、上向姿勢において、略水平方向に延びるとともに、支持部材１０４に上方から当接するように構成されている。また、図示しないが、ベース部材４０３の第２部分４９２の第２傾斜当接部４９４ｂは、上記第１実施形態の第２傾斜当接部９４ｂと同様に、下向姿勢において、略水平方向に延びるとともに、支持部材１０４に上方から当接するように構成されている。
【０１２０】
なお、第４実施形態のその他の構成は、上記第１実施形態と同様である。
【０１２１】
（第４実施形態の効果）
第４実施形態では、以下のような効果を得ることができる。
【０１２２】
第４実施形態では、上記のように、ベース部材４０３は、第１部分４９１に取り付けられ、弾性材料により形成されるとともに、水平当接部４９３および傾斜当接部４９４が一体的に設けられた第２部分４９２を含んでいる。これにより、支持部材１０４により、弾性材料を介して水中ミキサ本体１０１を支持することができるので、水中ミキサ本体１０１の運転時の振動を効果的に吸収することができる。その結果、水中ミキサ本体１０１を一層安定して支持することができる。また、ベース部材４０３の金属製の第１部分４９１と支持部材１０４とが直接接触する場合に比べ、ベース部材４０３と支持部材１０４の磨耗を抑制することが可能となる。
【０１２３】
また、第４実施形態では、上記のように、上記ベース部材４０３が第２部分４９２を含む構成において、好ましくは、第２部分４９２は、第１部分４９１の内側に嵌め込まれた状態で配置され、下端が第１部分４９１の下端よりも下方に突出している。これにより、第１部分４９１を支持部材１０４に当接しないようにするとともに、弾性材料により形成された第２部分４９２を支持部材１０４に確実に当接させることができる。
【０１２４】
なお、第４実施形態のその他の効果は、上記第１実施形態と同様である。
【０１２５】
［第５実施形態］
次に、図１５を参照して、本発明の第５実施形態の水中ミキサ５００について説明する。この第５実施形態では、水平当接部４９３および傾斜当接部４９４を平坦面とした上記第４実施形態の構成とは異なり、水平当接部５９３および傾斜当接部５９４を凹形状とする例について説明する。なお、上記第１（４）実施形態と同様の構成は、第１（４）実施形態と同じ符号を付して図示するとともに説明を省略する。
【０１２６】
第５実施形態における水中ミキサ５００は、図１５に示すように、ベース部材５０３と、支持部材５０４とを備えている。ベース部材５０３は、第１部分４９１と、第２部分５９２とを含んでいる。
【０１２７】
第２部分５９２の下端には、水平当接部５９３および傾斜当接部５９４が、第２部分５９２に一体的に設けられている。傾斜当接部５９４は、第１傾斜当接部５９４ａおよび第２傾斜当接部５９４ｂを有している。水平当接部５９３および傾斜当接部５９４は、共に、回転軸２１（図３参照）の軸方向に沿って延びる逆Ｖ字状の上方に窪んだ凹形状に形成されている。
【０１２８】
支持部材５０４は、梁部材５０４ｂと、梁部材５０４ｂを補強するリブ部材１０４ｃとを含んでいる。なお、第１実施形態（支持棒１０４ａがベース部材１０３に当接する第１実施形態）とは異なり、第５実施形態では、梁部材５０４ｂがベース部材５０３に当接するように構成されている。
【０１２９】
梁部材５０４ｂは、水平当接部５９３および傾斜当接部５９４の形状に対応した上方に突出する凸形状に形成されている。詳細には、梁部材５０４ｂは、縦断面形状がひし形の四角柱形状を有している。梁部材５０４ｂは、Ａ方向に直線状に延びている。梁部材５０４ｂは、水平当接部５９３および傾斜当接部５９４の直下に配置されている。なお、梁部材５０４ｂは、ベース部材５０３に対して面接触により接触している。
【０１３０】
ベース部材５０３の第２部分５９２の水平当接部５９３は、水平姿勢において、略Ａ方向（略水平方向）に直線状に延びるとともに、支持部材５０４に上方から当接して係合するように構成されている。また、図示しないが、ベース部材５０３の第２部分５９２の第１傾斜当接部５９４ａは、上記第１実施形態の第１傾斜当接部９４ａと同様に、上向姿勢において、略Ａ方向（略水平方向）に直線状に延びるとともに、支持部材５０４に上方から当接して係合するように構成されている。また、図示しないが、上記第１実施形態の第２傾斜当接部９４ｂと同様に、ベース部材５０３の第２部分５９２の第２傾斜当接部５９４ｂは、下向姿勢において、略Ａ方向（略水平方向）に直線状に延びるとともに、支持部材５０４に上方から当接して係合するように構成されている。
【０１３１】
なお、第５実施形態のその他の構成は、上記第１実施形態と同様である。
【０１３２】
（第５実施形態の効果）
第５実施形態では、以下のような効果を得ることができる。
【０１３３】
第５実施形態では、上記のように、水平当接部５９３および傾斜当接部５９４は、共に、回転軸２１の軸方向に沿って延びる凹形状により形成され、支持部材５０４は、回転軸２１の軸方向に沿って水平方向に延びるとともに、水平当接部５９３および傾斜当接部５９４に下方から係合するように、水平当接部５９３および傾斜当接部５９４の形状に対応した凸形状により形成されている。これにより、凹形状の支持部材５０４と凸形状のベース部材５０３とを係合させることにより、支持部材５０４に対するベース部材５０３の水平方向への移動をより確実に規制することができる。その結果、水中ミキサ本体１０１をより一層安定して支持することができる。
【０１３４】
なお、第５実施形態のその他の効果は、上記第１実施形態と同様である。
【０１３５】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１３６】
たとえば、上記第１〜第５実施形態では、水中ミキサ本体を上向姿勢および下向姿勢の両方に変更可能なように構成した例を示したが、本発明はこれに限らない。本発明では、水中ミキサ本体を上向姿勢および下向姿勢の一方のみに変更可能なように構成してもよい。
【０１３７】
また、上記第１〜第５実施形態では、第２傾斜当接部を第１傾斜当接部よりも撹拌羽根側に配置した例を示したが、本発明はこれに限らない。本発明では、第１傾斜当接部を第２傾斜当接部よりも撹拌羽根側に配置してもよい。
【０１３８】
また、上記第１〜第５実施形態では、本発明の第１部分を金属材料により形成した例を示したが、本発明はこれに限らない。本発明では、本発明の第１部分を樹脂材料などの金属材料以外の材料により形成してもよい。
【０１３９】
また、上記第１〜第４実施形態では、支持棒を丸棒形状により形成した例を示したが、本発明はこれに限らない。本発明では、支持棒を角柱形状などの丸棒形状以外の形状により形成してもよい。
【０１４０】
また、上記第５実施形態では、水平当接部および傾斜当接部を凹形状とし、ベース部材を凸形状とした例を示したが、本発明はこれに限らない。本発明では、水平当接部および傾斜当接部を凸形状とし、ベース部材を凹形状としてもよい。
【０１４１】
また、上記第５実施形態では、水平当接部および傾斜当接部を逆Ｖ字形状とした例を示したが、本発明はこれに限らない。本発明では、水平当接部および傾斜当接部をＭ字形状や逆Ｕ字形状などの逆Ｖ字形状以外の形状に形成してもよい。
【０１４２】
また、上記第１〜第５実施形態では、傾斜当接部および水平当接部を単一のベース部材に一体的に設けた例を示したが、本発明はこれに限らない。本発明では、傾斜当接部および水平当接部を異なるベース部材に別々に設けてもよい。
【０１４３】
また、上記第１〜第５実施形態では、第１傾斜当接部（第２傾斜当接部）をベース部材に１個設けた例を示したが、本発明はこれに限らない。本発明では、第１傾斜当接部（第２傾斜当接部）をベース部材に複数設けてもよい。この場合、複数の第１傾斜当接部（第２傾斜当接部）を互いに異なる傾斜角度に設定する。
【０１４４】
また、上記第１〜第４実施形態では、支持部材が２つの支持棒を有する例を示したが、本発明はこれに限らない。本発明では、支持部材が１つまたは３つ以上の支持棒を有していてもよい。
【０１４５】
また、上記第１〜第５実施形態では、ガイド支柱の上端から水中ミキサ本体を引き抜いて、水中ミキサ本体のガイド支柱への取付姿勢を変更した例を示したが、本発明はこれに限らない。本発明では、ガイド支柱の上端と下端との間の高さ位置において、取付部材をガイド支柱から着脱可能に構成して、水中ミキサ本体の姿勢を変更可能なように構成してもよい。
【符号の説明】
【０１４６】
３  撹拌羽根
２１  回転軸
９３、４９３、５９３  水平当接部
９４、４９４、５９４  傾斜当接部
９４ａ、４９４ａ、５９４ａ  第１傾斜当接部
９４ｂ、４９４ｂ、５９４ｂ  第２傾斜当接部
１００、２００、３００、４００、５００  水中ミキサ
１０１  水中ミキサ本体
１０２、２０２、３０２  取付部材
１０３  ベース部材（第１部分）
１０４、５０４  支持部材
１０４ａ  支持棒
４０３、５０３  ベース部材
４９１  第１部分
４９２、５９２  第２部分
Ｇ１  ガイド支柱
【図１】
2019195774.tif 000003
【図２】
2019195774.tif 000004
【図３】
2019195774.tif 000005
【図４】
2019195774.tif 000006
【図５】
2019195774.tif 000007
【図６】
2019195774.tif 000008
【図７】
2019195774.tif 000009
【図８】
2019195774.tif 000010
【図９】
2019195774.tif 000011
【図１０】
2019195774.tif 000012
【図１１】
2019195774.tif 000013
【図１２】
2019195774.tif 000014
【図１３】
2019195774.tif 000015
【図１４】
2019195774.tif 000016
【図１５】
2019195774.tif 000017